(57)【要約】【課題】電波状況の変化に迅速かつ的確に対応してセルサーチを実行可能とし、発呼率や着呼率を低下させずに消費電力を低減する。【解決手段】制御部１０４のタイマー１４４は、セルサーチのタイミングとなった場合に、無線部１０２及びクロック制御部１０５を起動し、ここで新規検出セルサーチ実行周期タイマーが満了した場合は遅延プロファイル計算部１３３を起動して新規検出セルサーチを実行する。一方、満了していない場合は記憶部１４１に記憶された検出済みの拡散コードと拡散タイミングを利用して既知検出セルサーチを実行する。また、判定部１４２は、レベル測定部１３６で測定された待ち受け中の基地局の回線品質のレベルが閾値以上か否かを判定し、閾値以上の場合はタイマー１４４の新規検出セルサーチ実行周期タイマーを長く設定し、閾値未満の場合は新規検出セルサーチ実行周期タイマーを短く設定する。【選択図】  図１
2004221671.tif 000002
【特許請求の範囲】
【請求項１】
無線エリアを構成する複数のセル毎に配置された基地局の同期用無線チャネルを検出し、前記検出した同期用無線チャネルの回線品質レベルを測定するセルサーチを行うセルサーチ手段を備えた移動局装置であって、
前記セルサーチ手段は、新規の基地局を検索対象とする新規検出セルサーチと、既に検索済みの基地局を検索対象とする既知検出セルサーチとを実行可能であり、さらに、
前記新規検出セルサーチの実行周期を計時する計時手段と、
前記セルサーチを実行すべきタイミングが到来した際に、前記新規検出セルサーチの実行周期に達していない場合には前記既知検出セルサーチを実行し、前記新規検出セルサーチの実行周期に達している場合には前記新規検出セルサーチを実行するセルサーチ実行制御手段と、
前記既知検出セルサーチまたは前記新規検出セルサーチにおいて測定された待ち受け対象の基地局の回線品質レベルが所定値未満である場合は前記計時手段における新規検出セルサーチの実行周期を短く設定し、前記回線品質レベルが所定値以上である場合は前記計時手段における新規検出セルサーチの実行周期を長く設定する実行周期制御手段と、
を備えたことを特徴とする移動局装置。
【請求項２】
前記セルサーチ実行制御手段は、前記セルサーチを実行すべきタイミングが到来した際に無線部及び信号処理部を起動して前記既知検出セルサーチまたは前記新規検出セルサーチを実行し、該当基地局からの同期用無線チャネルの回線品質レベルの測定が完了した後に前記無線部を動作停止させることを特徴とする請求項１に記載の移動局装置。
【請求項３】
無線エリアを構成する複数のセル毎に配置された基地局の同期用無線チャネルを検出し、前記検出した同期用無線チャネルの回線品質レベルを測定するセルサーチを行う移動局装置におけるセルサーチ制御方法であって、
前記セルサーチとして新規の基地局を検索対象とする新規検出セルサーチの実行周期を計時する計時ステップと、
前記セルサーチを実行すべきタイミングが到来した際に、前記新規検出セルサーチの実行周期に達していない場合には前記セルサーチとして既に検索済みの基地局を検索対象とする既知検出セルサーチを実行し、前記新規検出セルサーチの実行周期に達している場合には前記新規検出セルサーチを実行するセルサーチ実行制御ステップと、
前記既知検出セルサーチまたは前記新規検出セルサーチにおいて測定された待ち受け対象の基地局の回線品質レベルが所定値未満である場合は前記計時ステップにおける新規検出セルサーチの実行周期を短く設定し、前記回線品質レベルが所定値以上である場合は前記計時ステップにおける新規検出セルサーチの実行周期を長く設定する実行周期制御ステップと、
を有することを特徴とするセルサーチ制御方法。
【請求項４】
前記セルサーチ実行制御ステップにおいて、前記セルサーチを実行すべきタイミングが到来した際に無線部及び信号処理部を起動して前記既知検出セルサーチまたは前記新規検出セルサーチを実行し、該当基地局からの同期用無線チャネルの回線品質レベルの測定が完了した後に前記無線部を動作停止させることを特徴とする請求項３に記載のセルサーチ制御方法。
【請求項５】
請求項３又は４に記載のセルサーチ制御方法の各ステップをコンピュータを用いて実行するためのセルサーチ制御プログラム。
【発明の詳細な説明】
【０００１】
【発明の属する技術分野】
本発明は、移動通信システムに用いられる移動局装置、及びこの移動局装置において通信に最適な基地局を検索するためのセルサーチ制御方法並びにプログラムに関する。
【０００２】
【従来の技術】
現在普及している携帯電話装置等を用いた移動通信システムでは、無線通信を行う無線エリアを「セル」と呼ばれる複数の無線エリアに分割し、各セル毎に基地局を配備して、これらの基地局が当該セル内に移動してきた移動局との通信を行うことにより、移動局は最も近い基地局と通信を行う構成を採用している。
【０００３】
上記の各基地局は、移動局の同期用無線チャネルの信号を常に固定送信電力で送信している。この信号の電波は、減衰しながら空間を伝播するので、伝播距離が遠くなればなるほど、その減衰量が増える性質を持っている。従って、移動局が基地局からの電波を受信する場合、近い基地局からの同期用無線チャネルの受信品質が良好であり、遠い基地局からの同期用無線チャネルの受信品質は悪いという状態が生じる。
【０００４】
待ち受け中の移動局は、上記基地局から送信される同期用無線チャネルの受信レベル等により回線品質の測定及び監視を行っている。そして、この回線品質の監視により、通信に最適な基地局の同期用無線チャネルを見つけ出し、当該基地局に対して待ち受け動作に入ることで発呼、着信に備える。この同期用無線チャネルを見つけ出すこと、及び見つけ出した同期用無線チャネルの回線品質を測定することを「セルサーチ」と称している。
【０００５】
移動局が移動するにつれて、前述の各基地局から到来する同期用無線チャネルの電波状況は変化する。従って、移動局は常に上記セルサーチを行い、通信に最適な基地局を選び出して最適な基地局に対して待ち受け動作に入ることが、発呼率、着信率を維持するために重要である。
【０００６】
ＣＤＭＡ（Ｃｏｄｅ  Ｄｉｖｉｓｉｏｎ  Ｍｕｌｔｉｐｌｅ  Ａｃｃｅｓｓ）方式の移動通信システムにおいては、同期用無線チャネルの信号は、基地局毎に異なる拡散タイミングと拡散コードにより、それぞれ拡散されて送信される。このため、移動局は、この同期用無線チャネルの信号の受信レベルを測定、または復調するために拡散タイミング及び拡散コードを検出する必要がある（例えば、特許文献１参照）。
【０００７】
ところで、前述のセルサーチの処理内容は、新規に同期用無線チャネルの拡散タイミングと拡散コードとを検出することにより新たな基地局を探し出し、その回線品質を測定する処理（以下、この処理を「新規検出セルサーチ」と称する）と、既に検出済みの拡散タイミングと拡散コードとを用いて、既に検出済みの基地局に対して回線品質を再度測定する処理（以下、この処理を「既知検出セルサーチ」と称する）とに分けられる。
【０００８】
上記移動通信システムの移動局は、上記の新規検出セルサーチと既知検出セルサーチの動作を繰り返している。そして、この移動局は、それぞれの周辺基地局と待ち受け中の基地局に関する回線品質情報を、これらの基地局毎に保持し、順位付けを行っている。そして、回線品質の順位の入れ替えが発生した場合に、その保持情報の内で最適な基地局に待ち受け対象基地局を変更する動作を行う。
【０００９】
ここで、過去に検出したことのある基地局の拡散タイミングと拡散コードは、保持されていて既知であるので、前述した既に検出済みの拡散タイミングと拡散コードとを用いて復調や受信レベル測定を行う既知検出セルサーチは、新規検出セルサーチよりも短期間で回線品質を測定することができる。
【００１０】
一方、移動局は、待ち受け中、動作が不要なタイミングでは、無線部や信号処理部の電源やクロックの供給を停止して無駄な電流を削減する間欠受信動作を行い、バッテリー動作を長持ちさせている。特に、前述の新規検出セルサーチの処理は、検出済みの基地局に対して回線品質を再度測定する既知検出セルサーチよりも動作時間が長くかかるので、この新規検出セルサーチの頻度を減らすことが消費電力の低減に有効である。
【００１１】
ところが、移動局が移動する場合、または移動局を取り巻く周囲の障害物の状況が変化する場合、既に検出済みの全ての基地局からの距離が大きく離れるか、または、その回線品質が劣化するので、待ち受けるべきセルが無くなって圏外となってしまう可能性がある。このとき、例えば、常に既知検出セルサーチだけを行って消費電力を低減している場合、新規基地局が取り込めないことになる。そこで、従来の装置では、セルサーチの動作中に、新規検出セルサーチを間引いて定期的に行うことにより、新規検出セルサーチの頻度を下げて消費電力の低減を図るといった方法を採用している。
【００１２】
しかしながら、基地局と移動局の間に電波を遮る障害物が無く、移動局が同一セル内で静止している場合は、周辺の回線の電波状況（以下、回線状況と称する）は良好のため、移動局で定期的に新規検出セルサーチを行って無線部や信号処理部の動作により多大の電力を消費しても、新規に基地局が検出されることはなく、既知検出セルサーチだけを行った場合と結果的に同じになる。この場合、移動局は新たな基地局を発見することなく無駄な動作をしたことになり、新規検出セルサーチにより電力消費量が増大し、移動局の電池の消耗を早めてしまう結果となる。
【００１３】
また、前述の新規検出セルサーチの頻度を低減させるために、新規検出セルサーチの周期を固定的に長くする方法では、移動局を取り巻く回線の電波状況が変化し、現在検出されている基地局以外に最適な基地局が出現しても、その検出が新規検出セルサーチの周期が長くなった分遅れてしまう。この場合、基地局選択性能が劣化し、その結果として発呼率や着呼率が低下する。
【００１４】
上記のような問題点を解消するセルサーチの制御方法として、移動局が現在捕捉している基地局のとまり木チャネル（同期用無線チャネル）の受信品質（最高受信電力等）を測定し、新たなとまり木チャネルの探索の必要性が高いセル周辺部に移動局が位置しているか、あるいはその必要性が低い基地局の近辺に移動局が位置しているかを自動的に判断し、より必要性が高い地点において探索の頻度を増し、反対に、その必要性が低い地点において探索の頻度を減ずることにより、最良の基地局を選択する精度を高く保ちながら消費電力を抑える方法が示されている（例えば、特許文献２参照）。
【００１５】
【特許文献１】
特開２００１−７８２４５号公報
【特許文献２】
特開２００１−２８７７８号公報
【００１６】
【発明が解決しようとする課題】
上述したように、従来の移動局装置及びセルサーチ制御方法にあっては、待ち受け時のセルサーチにおいて消費電力量が多くなるという問題点がある。また、電力消費量を抑えるためにセルサーチの周期を長くした場合には、新たに最適な基地局が出現した時に、この基地局からの同期用無線チャネルを検出して選択するまでに多くの時間を要し、その結果、発呼率や着呼率が低下するという問題点がある。
【００１７】
また、上記特許文献２に示された方法では、移動局が現在捕捉している基地局のとまり木チャネル（同期用無線チャネル）の受信品質（最高受信電力等）を測定することで、セルサーチの頻度を調整することについては明記されている。しかしながら、この様な方式では捕捉している基地局の受信品質が良好でありセルサーチの頻度を下げている状況においては、新規セルサーチまたは既知セルサーチのいずれも実行しない時間帯ができる為、瞬時のセルの入れ替わりを検知することが困難で最適な基地局を捕捉できずに着信率を落としている場合があった。
【００１８】
本発明は、上記課題を解決するためになされたもので、その目的は、回線状況の変化に迅速かつ的確に対応してセルサーチを実行でき、発呼率や着呼率を低下させずに消費電力を低減することが可能な移動局装置、及びセルサーチ制御方法並びにプログラムを提供することにある。
【００１９】
【課題を解決するための手段】
本発明に係る移動局装置は、無線エリアを構成する複数のセル毎に配置された基地局の同期用無線チャネルを検出し、前記検出した同期用無線チャネルの回線品質レベルを測定するセルサーチを行うセルサーチ手段を備えた移動局装置であって、前記セルサーチ手段は、新規の基地局を検索対象とする新規検出セルサーチと、既に検索済みの基地局を検索対象とする既知検出セルサーチとを実行可能であり、さらに、前記新規検出セルサーチの実行周期を計時する計時手段と、前記セルサーチを実行すべきタイミングが到来した際に、前記新規検出セルサーチの実行周期に達していない場合には前記既知検出セルサーチを実行し、前記新規検出セルサーチの実行周期に達している場合には前記新規検出セルサーチを実行するセルサーチ実行制御手段と、前記既知検出セルサーチまたは前記新規検出セルサーチにおいて測定された待ち受け対象の基地局の回線品質レベルが所定値未満である場合は前記計時手段における新規検出セルサーチの実行周期を短く設定し、前記回線品質レベルが所定値以上である場合は前記計時手段における新規検出セルサーチの実行周期を長く設定する実行周期制御手段と、を備えたことを特徴とする。
【００２０】
上記構成により、例えば移動局装置が静止状態であり、かつ回線状況が良好な状態で、待ち受け対象の基地局の回線品質レベルが所定値以上である場合に、新規検出セルサーチの実行周期を長くし、新規検出セルサーチを実行する頻度を下げることにより、発呼率や着呼率を低下させずに消費電力を低減することが可能となる。また、セルサーチの実行タイミングにおいて、新規検出セルサーチの実行周期に達した場合のみ新規検出セルサーチを実行し、実行周期に達していない場合は既知検出セルサーチを実行することで、電波状況の変化等に対応して適切なタイミングで適切なセルサーチを実行可能であり、消費電力を低減しつつ最適な基地局を待ち受けすることができる。
【００２１】
また、前記セルサーチ実行制御手段は、前記セルサーチを実行すべきタイミングが到来した際に無線部及び信号処理部を起動して前記既知検出セルサーチまたは前記新規検出セルサーチを実行し、該当基地局からの同期用無線チャネルの回線品質レベルの測定が完了した後に前記無線部を動作停止させることを特徴とする。
【００２２】
上記構成により、待ち受け対象の基地局の回線品質レベルが所定値以上である場合に、新規検出セルサーチの実行周期を長くすることで無線部及び信号処理部の動作による電力消費を低減でき、装置の消費電力を低減させることが可能となる。
【００２３】
本発明に係るセルサーチ制御方法は、無線エリアを構成する複数のセル毎に配置された基地局の同期用無線チャネルを検出し、前記検出した同期用無線チャネルの回線品質レベルを測定するセルサーチを行う移動局装置におけるセルサーチ制御方法であって、前記セルサーチとして新規の基地局を検索対象とする新規検出セルサーチの実行周期を計時する計時ステップと、前記セルサーチを実行すべきタイミングが到来した際に、前記新規検出セルサーチの実行周期に達していない場合には前記セルサーチとして既に検索済みの基地局を検索対象とする既知検出セルサーチを実行し、前記新規検出セルサーチの実行周期に達している場合には前記新規検出セルサーチを実行するセルサーチ実行制御ステップと、前記既知検出セルサーチまたは前記新規検出セルサーチにおいて測定された待ち受け対象の基地局の回線品質レベルが所定値未満である場合は前記計時ステップにおける新規検出セルサーチの実行周期を短く設定し、前記回線品質レベルが所定値以上である場合は前記計時ステップにおける新規検出セルサーチの実行周期を長く設定する実行周期制御ステップと、を有することを特徴とする。
【００２４】
上記手順により、例えば移動局装置が静止状態であり、かつ回線状況が良好な状態で、待ち受け対象の基地局の回線品質レベルが所定値以上である場合に、新規検出セルサーチの実行周期を長くし、新規検出セルサーチを実行する頻度を下げることにより、発呼率や着呼率を低下させずに移動局装置の消費電力を低減することが可能となる。また、セルサーチの実行タイミングにおいて、新規検出セルサーチの実行周期に達した場合のみ新規検出セルサーチを実行し、実行周期に達していない場合は既知検出セルサーチを実行することで、電波状況の変化等に対応して適切なタイミングで適切なセルサーチを実行可能であり、移動局装置において消費電力を低減しつつ最適な基地局を待ち受けすることができる。
【００２５】
また、前記セルサーチ実行制御ステップにおいて、前記セルサーチを実行すべきタイミングが到来した際に無線部及び信号処理部を起動して前記既知検出セルサーチまたは前記新規検出セルサーチを実行し、該当基地局からの同期用無線チャネルの回線品質レベルの測定が完了した後に前記無線部を動作停止させることを特徴とする。
【００２６】
上記手順により、待ち受け対象の基地局の回線品質レベルが所定値以上である場合に、新規検出セルサーチの実行周期を長くすることで無線部及び信号処理部の動作による電力消費を低減でき、移動局装置の消費電力を低減させることが可能となる。
【００２７】
また、本発明は、上記いずれかのセルサーチ制御方法の各ステップをコンピュータを用いて実行するためのセルサーチ制御プログラムを提供する。
【００２８】
上記プログラムにより、例えば移動局装置が静止状態であり、かつ回線状況が良好な状態で、待ち受け対象の基地局の回線品質レベルが所定値以上である場合に、新規検出セルサーチの実行周期を長くし、新規検出セルサーチを実行する頻度を下げることにより、発呼率や着呼率を低下させずに移動局装置の消費電力を低減可能なセルサーチの制御が実現できる。
【００２９】
【発明の実施の形態】
以下、図面を参照して本発明の実施形態を説明する。
まず、本発明の概要について説明する。本発明は、検出済みの基地局装置から送信される信号を検出するセルサーチを行い、待ち受け中の基地局の回線品質が所定のレベル以上である場合には、静止状態が継続、または、周囲の回線の電波状況（回線状況）が良好であり、待ち受け対象の基地局（待ち受けセル）を切り替える必要がないと判断でき、新たな基地局装置を検出するセルサーチを行う必要がない点に着目したものである。ここでは、特にＣＤＭＡ方式のスペクトラム拡散通信を用いた移動通信システムにおける移動局装置を例にとり、基地局から送信される信号の拡散タイミングと拡散コードとを検出するセルサーチの制御方法を説明する。
【００３０】
本発明では、検出済みの基地局装置を検出する既知検出セルサーチまたは新たな基地局装置を検出する新規検出セルサーチが実行される毎に、待ち受け中の基地局の回線品質を測定し、この回線品質が所定のレベル未満であれば新規検出セルサーチの実行周期を短くし、所定のレベル以上であれば新規検出セルサーチの実行周期を長くする。これにより、移動局を取り巻く回線状況が変化した場合にのみ新規検出セルサーチの実行により新規基地局を検出することになるので、待ち受け対象の基地局の選択切り替えを迅速にし、かつ発呼率や着信率を劣化させないようにしている。また、待ち受け中の周辺基地局の状態に変化が無く電波状態が良好な状態であるにも関わらずに、処理時間を要する新規検出セルサーチを行って新規に検出される基地局が無いといったような無駄な動作を低減するようにしている。
【００３１】
さらに、本発明では、セルサーチを実行すべきタイミングに際し、セルサーチのタイミングが新規検出セルサーチの実行周期内のタイミングであれば、新規検出セルサーチは実行せず、既知検出セルサーチの実行だけで済ませる。これにより、セルサーチが必要なタイミングであっても、新規検出セルサーチの実行タイミングに達していない期間内であれば、処理時間を要する新規検出セルサーチは実行せずに、処理時間が短くて済む既知検出セルサーチのみを実行するようにしている。
【００３２】
図１は、本発明の一実施形態に係る移動局装置の構成を示すブロック図である。
本実施形態の移動局装置１００は、主要な構成要素として、アンテナ１０１と、無線部１０２と、信号処理部１０３と、制御部１０４と、クロック制御部１０５とを備えて構成される。
【００３３】
信号処理部１０３は、主要な構成要素として、ＡＤ部（アナログ／ディジタル変換部）１３１と、受信データ処理部１３２と、遅延プロファイル計算部１３３と、拡散コード検出部１３４と、拡散タイミング検出部１３５と、レベル測定部１３６と、拡散コード発生部１３７と、拡散タイミング制御部１３８とを備えて構成される。また、制御部１０４は、主要な構成要素として、記憶部１４１と、判定部１４２と、タイマー１４４とを備えて構成される。
【００３４】
以下、本実施形態の移動局装置の機能について、各構成要素毎に説明する。
アンテナ１０１は、基地局（図示は省略）からの無線信号を受信する。無線部１０２は、アンテナ１０１により受信された無線信号をベースバンド周波数に変換し、得られたベースバンド信号をＡＤ部１３１に出力する。また、無線部１０２は、タイマー１４４からの制御により、電源の停止と起動とを行う。
【００３５】
ＡＤ部１３１は、ベースバンド信号をアナログ信号からデジタル信号に変換して受信データ処理部１３２と遅延プロファイル計算部１３３とに出力する。受信データ処理部１３２は、ベースバンド信号を制御部１０４で処理できる受信データに変換して制御部１０４に出力する。
【００３６】
遅延プロファイル計算部１３３は、タイマー１４４からの指示で起動を開始し、拡散コード発生部１３７で発生した拡散コードと拡散タイミング制御部１３８からの逆拡散開始タイミングの情報とに基づいて、ＡＤ部１３１でデジタル変換されたベースバンド信号を逆拡散して遅延プロファイルを作成する。また、遅延プロファイル計算部１３３は、この遅延プロファイルを拡散コード検出部１３４、拡散タイミング検出部１３５、及びレベル測定部１３６に出力する。
【００３７】
拡散コード検出部１３４は、遅延プロファイル計算部１３３から出力された遅延プロファイルに基づいて基地局から送信された信号の拡散コードを検出して記憶部１４１に出力する。拡散タイミング検出部１３５は、遅延プロファイル計算部１３３から出力された遅延プロファイルに基づいて基地局から送信された信号の拡散タイミングを検出して記憶部１４１に出力する。レベル測定部１３６は、上記遅延プロファイルから、受信信号のレベルを測定して記憶部１４１と判定部１４２とに出力する。
【００３８】
拡散コード発生部１３７は、記憶部１４１に記憶されている拡散コードを読み出し、遅延プロファイル計算部１３３に出力する。拡散タイミング制御部１３８は、記憶部１４１に記憶されている拡散タイミングを読み出し、遅延プロファイル計算部１３３に出力する。
【００３９】
記憶部１４１は、拡散コード検出部１３４から出力された拡散コードと、拡散タイミング検出部１３５から出力された拡散タイミングと、レベル測定部１３６から出力された測定レベル情報とを、基地局毎に対応付けて記憶する。また、記憶部１４１は、レベル測定部１３６で測定された各基地局の回線品質のレベルを比較し、これら基地局の順位付けを行う。さらに、記憶部１４１は、判定部１４２により回線品質のレベルが所定の閾値未満であると判断されて、この旨が判定部１４２から通知された場合には、その指定を受けた基地局のデータを記憶しない。
【００４０】
判定部１４２は、受信信号より拡散コードと拡散タイミングが検出済みの基地局と通信可能か否かを判定する。具体的には、判定部１４２は、レベル測定部１３６から出力された測定レベル情報により、受信信号の測定レベル（すなわち該当する基地局の回線品質のレベル）が所定の閾値以上である場合には、基地局との通信が可能であると判定し、受信信号の測定レベルが所定の閾値未満である場合には、基地局との通信が不可能と判定する。さらに、レベル測定部１３６から出力された測定レベル情報により、待ち受け中の基地局の受信信号の測定結果に対しては、受信信号のレベルが所定の閾値以上である場合に、タイマー１４４に新規検出セルサーチの実行周期を長くする指示を送出し、前記受信信号のレベルが所定の閾値未満である場合には、タイマー１４４に新規検出セルサーチの実行周期を短くする指示を送出する。
【００４１】
タイマー１４４は、移動局全体の動作の起動と停止の制御を行うための指示を出力するとともに、新規検出セルサーチの実行周期を計時する新規検出セルサーチ実行周期タイマーを有し、判定部１４２の指示を受けて新規検出セルサーチの実行周期を切り替える制御を行う。より具体的には、タイマー１４４は、セルサーチ開始の時刻になった時に、無線部１０２に起動開始を指示し、クロック制御部１０５にクロック動作の開始を指示し、前回のセルサーチ実行時に判定部１４２から指示された新規セルサーチ実行周期に応じて、新規検出セルサーチを行うのか既知検出セルサーチを行うのかを判断する。
【００４２】
また、新規検出セルサーチを行う場合には、タイマー１４４は、記憶部１４１に拡散コードと拡散タイミングとを利用する指示を行わないで、遅延プロファイル計算部１３３に起動をかける。一方、検出済みの拡散タイミングと拡散コードとを用いて既に検出済みの基地局のセルサーチ、即ち既知検出セルサーチを行う場合は、タイマー１４４は、記憶部１４１に対して、拡散コードと拡散タイミングを利用する旨を指示し、遅延プロファイル計算部１３３を起動する。
【００４３】
また、タイマー１４４は、セルサーチ終了の時刻になった時、無線部１０２に起動終了を指示し、クロック制御部１０５にクロック動作の終了を指示する。このように、タイマー１４４は、一定周期毎に前回の判定部１４２から受けた指示により、新規検出セルサーチの実行周期を制御すると共に、セルサーチの開始及び終了の指示を出力する。
【００４４】
クロック制御部１０５は、タイマー１４４の指示に従い、信号処理部１０３にクロックの供給と停止を行う。
【００４５】
次に、本実施形態の移動局装置における動作について説明する。図２は、本実施形態の移動局装置におけるセルサーチの動作手順の一例を示すフローチャートである。
【００４６】
まず、タイマー１４４は、定期的なセルサーチのタイミングをカウントし、セルサーチのタイミングか否かを判定する（ステップＳＴ２０１）。ここで、セルサーチのタイミングとなった場合に、次のステップに進み、タイマー１４４は無線部１０２及びクロック制御部１０５に対して起動指示を行う（ステップＳＴ２０２）。
【００４７】
次に、タイマー１４４は、新規検出セルサーチの実行周期を計時する新規検出セルサーチ実行周期タイマーが満了（カウントアップ）したか否かを判断する（ステップＳＴ２０３）。ここで、新規検出セルサーチ実行周期タイマーが満了した時はステップＳＴ２０４に進む。一方、新規検出セルサーチ実行周期タイマーが満了していない場合はステップＳＴ２０５に進む。
【００４８】
ステップＳＴ２０４では、タイマー１４４が、記憶部１４１に拡散コードと拡散タイミングを利用する指示を送出しないで、遅延プロファイル計算部１３３に起動をかけて、新規検出セルサーチを実行する。
【００４９】
ステップＳＴ２０５では、タイマー１４４が、記憶部１４１に対して、拡散コードと拡散タイミングを利用する旨を指示し、遅延プロファイル計算部１３３を起動して、既知検出セルサーチを実行する。
【００５０】
次に、判定部１４２は、レベル測定部１３６で測定されて出力された測定レベル情報に基づき、待ち受け中（待ち受け対象）の基地局の回線品質のレベルが閾値以上か否かを判定する（ステップＳＴ２０６）。ここで、回線品質のレベルが閾値以上であればステップＳＴ２０７に進み、一方、回線品質のレベルが閾値未満であればステップＳＴ２０８に進む。
【００５１】
ステップＳＴ２０７では、判定部１４２の指示に基づき、タイマー１４４は新規検出セルサーチ実行周期タイマーを長い周期に設定し、次のセルサーチ開始タイミングに備える。すなわち、タイマー１４４において新規検出セルサーチの実行周期を長くする。また、ステップＳＴ２０８では、判定部１４２の指示に基づき、タイマー１４４は新規検出セルサーチ実行周期タイマーを短い周期に設定し、次のセルサーチ開始タイミングに備える。すなわち、タイマー１４４において新規検出セルサーチの実行周期を短くする。
【００５２】
そして、タイマー１４４の指示により、無線部１０２とクロック制御部１０５が動作を停止し（ステップＳＴ２０９）、ステップＳＴ２０１に戻る。
【００５３】
上述したように、本実施形態では、待ち受け中の基地局の回線品質を示すレベルが所定の閾値以上である場合は、自身の移動局装置が静止状態であり、かつ周囲の回線状況が良好な状態であると判断し、新たに基地局を検出する新規検出セルサーチの実行頻度を下げるようにしている。これにより、多くの処理時間を要する新規検出セルサーチを不必要に実行することを抑制し、発呼率や着呼率を低下させずに消費電力を低減することができる。このため、移動局装置のバッテリ寿命を延ばし、駆動時間を長くすることができる。
【００５４】
また、本実施形態では、セルサーチを行うべきタイミングであっても、新規検出セルサーチの実行周期に達していない場合は、既知検出セルサーチを行うようにし、新規検出セルサーチと既知検出セルサーチとを使い分けることで、電波状況の変化等に対応して適切なタイミングで適切なセルサーチを実行可能となる。すなわち、本実施形態における回線品質の測定とセルサーチの頻度の調整とは、１回のセルサーチを実行するタイミングで（セルサーチの実行毎に）行われるので、回線状態の変化に迅速かつ的確に対応することができる。このように、回線状況の変化に対応してセルサーチを実行できるようにすることで、発呼率や着呼率を低下させずに消費電力を低減でき、最適な基地局を待ち受けすることができる。
【００５５】
なお、本発明は上記実施形態に限定されず、その要旨を逸脱しない範囲において種々変更して実施することが可能である。例えば、上記実施形態では、移動局装置の構成例及びその動作によるセルサーチ制御方法について説明しているが、これに限られるものではなく、本発明のセルサーチ制御方法をソフトウェアプログラムで実行することによっても実施可能である。
【００５６】
例えば、上記セルサーチ制御方法を実行するプログラムを予め装置内に設けたＲＯＭ（Ｒｅａｄ  Ｏｎｌｙ  Ｍｅｍｏｒｙ）やフラッシュＲＡＭ（Ｒａｎｄｏｍ  Ａｃｃｅｓｓ  ｍｅｍｏｒｙ）等の記憶手段に格納しておき、そのプログラムをＣＰＵ（Ｃｅｎｔｒａｌ  Ｐｒｏｃｅｓｓｏｒ  Ｕｎｉｔ）によって動作させるようにしてもよい。また、上記セルサーチ制御方法を実行するプログラムを、ＲＯＭ等の半導体メモリ、ＣＤ−ＲＯＭ等の光記録媒体、ハードディスク等の磁気記録媒体等のコンピュータで読み取り可能な記憶媒体に格納し、この記憶媒体に格納されたプログラムをＣＰＵ等を有してなるコンピュータのメモリに転送して記憶し、コンピュータをそのプログラムにしたがって動作させるようにしてもよい。
【００５７】
また、上記実施形態では、待ち受け中の基地局の回線品質を示すレベルを、一つの閾値と比較判定して、新規検出セルサーチの実行周期を長い周期と短い周期に使い分ける方法をとっているが、待ち受け中の基地局の回線品質の判定閾値を複数持たせ、各閾値に応じて複数の新規検出セルサーチ実行周期を割り当てて、新規検出セルサーチの実行タイミングをこまめに制御する方法をとることも可能である。
【００５８】
【発明の効果】
以上説明したように本発明によれば、回線状況の変化に迅速かつ的確に対応してセルサーチを実行でき、発呼率や着呼率を低下させずに消費電力を低減することが可能な移動局装置、及びセルサーチ制御方法並びにプログラムを提供することができる。
【図面の簡単な説明】
【図１】本発明の一実施形態に係る移動局装置の構成を示すブロック図
【図２】本実施形態の移動局装置におけるセルサーチの動作手順の一例を示すフローチャート
【符号の説明】
１０１  アンテナ
１０２  無線部
１０３  信号処理部
１０４  制御部
１０５  クロック制御部
１３１  ＡＤ部
１３２  受信データ処理部
１３３  遅延プロファイル計算部
１３４  拡散コード検出部
１３５  拡散タイミング検出部
１３６  レベル測定部
１３７  拡散コード発生部
１３８  拡散タイミング制御部
１４１  記憶部
１４２  判定部
１４４  タイマー
【図１】
2004221671.tif 000003
【図２】
2004221671.tif 000004